(57)【要約】【課題】登録操作に要する部材を室外側に配置することにより装置構成の融通性を高めた錠装置の制御装置を提供することを目的とする。【解決手段】室外側に配置された認証開始スイッチ１の投入により携帯機２との交信を開始し、携帯機２に対する認証成立を条件に錠装置を施解錠動作させる制御部３と、  前記制御部３が登録モードのときに携帯機２に対する認証用ＩＤが書き込まれる認証用ＩＤ格納部４とを有する錠装置の制御装置であって、  前記制御部３は、携帯機２に対する認証成立後の認証開始スイッチ１の操作により登録モードに遷移する。【選択図】  図３
2006241759.tif 000002
【特許請求の範囲】
【請求項１】
室外側に配置された認証開始スイッチの投入により携帯機との交信を開始し、携帯機に対する認証成立を条件に錠装置を施解錠動作させる制御部と、
前記制御部が登録モードのときに携帯機に対する認証用ＩＤが書き込まれる認証用ＩＤ格納部とを有する錠装置の制御装置であって、
前記制御部は、登録用携帯機に対する認証成立後に登録モードに遷移する錠装置の制御装置。
【請求項２】
前記携帯機は、予め書き込まれた種別コードにより通常運用機と暫定運用機の２種に区分されており、
前記制御部は、いずれか一方のみを認証用ＩＤとして使用する請求項１記載の錠装置の制御装置。
【請求項３】
前記通常運用機の認証用ＩＤは、認証開始スイッチの操作により認証用ＩＤが全消去される請求項２記載の錠装置の制御装置。
【請求項４】
前記通常運用機の認証用ＩＤは、前記認証開始スイッチの操作後の登録用携帯機に対する認証成立により全消去される請求項３記載の錠装置の制御装置。
【請求項５】
前記暫定運用機の認証用ＩＤ格納部への書込は、通常運用機に対する認証用ＩＤの全消去を条件とする請求項２、３または４記載の錠装置の制御装置。
【発明の詳細な説明】
【技術分野】
【０００１】
本発明は、錠装置の制御装置に関するものである。
【背景技術】
【０００２】
認証部における携帯機の認証登録が可能な錠装置の制御装置としては、特許文献１に記載のものが知られている。この従来例において、制御装置には登録スイッチが設けられており、該登録スイッチを操作することにより制御装置を携帯機の認証登録モードに遷移させることができる。
【特許文献１】特開２００１-２６２８８３号
【発明の開示】
【発明が解決しようとする課題】
【０００３】
しかし、上述した従来例において、制御装置は登録スイッチの操作により直ちに認証登録モードに遷移するために、不正登録等を防止するために室内側に配置する必要がある。この結果、例えば、制御装置を一体に構成して既設の扉の室外側壁面に固定するようなことが不可能となり、装置構成の融通性が低下してしまう上に、携帯機との交信可能距離の制約から送受信部を室外側に配置する必要がある場合には、扉への加工が必要となるという欠点がある。
【０００４】
本発明は、以上の欠点を解消すべくなされたものであって、登録操作に要する部材を室外側に配置することにより装置構成の融通性を高めた錠装置の制御装置を提供することを目的とする。
【課題を解決するための手段】
【０００５】
本発明によれば、上記目的は、
室外側に配置された認証開始スイッチ１の投入により携帯機２との交信を開始し、携帯機２に対する認証成立を条件に錠装置を施解錠動作させる制御部３と、
前記制御部３が登録モードのときに携帯機２に対する認証用ＩＤが書き込まれる認証用ＩＤ格納部４とを有する錠装置の制御装置であって、
前記制御部３は、登録用携帯機２に対する認証成立後の登録モードに遷移する錠装置の制御装置を提供することにより達成される。
【０００６】
制御装置は、消費電力を少なくして電池駆動を可能にするために、押しボタン等の認証開始スイッチ１が投入されたときにのみ制御部３に給電されるように構成される。制御部３は、起動されるとユーザが所持する携帯機２と交信して携帯機２に設定されたＩＤ情報を読み込み、ＩＤ格納部内の認証用ＩＤと比較する。認証用ＩＤとの一致が確認（認証成立）すると、アクチュエータ５を駆動して錠装置を施解錠動作させる。
【０００７】
上記制御部３は、上述したように、携帯機２と交信してアクチュエータ５の駆動を制御する通常の運用モードに加えて、認証対象として未登録の携帯機２を新たにＩＤ格納部に書き込む登録モードを有する。登録モードへの移行は、携帯機２による認証が成立した後に未登録の携帯機２を制御部３内に構成される認証部と交信させると、当該未登録携帯機２が認証対象携帯機２として登録される。
【０００８】
したがってこの発明において、登録モードへのモード変更に際して、装置を起動するために室外に配置される認証開始スイッチ１を利用するために、室内側への部品配置を完全に、あるいは可及的に回避できる。この結果、装置構成の自由度が高まる。また、登録モードへの遷移は、認証成立を条件とするために、不正登録を完全に防止できる。
【０００９】
上記携帯機２は、１種類複数枚で運用することが可能であるが、通常運用機と暫定運用機の２種類を用意すると、例えば、暫定運用機を工事、メンテナンス中の業者専用携帯機２として通常運用機による運用が開始されるまでの間利用することができる。
【００１０】
制御部３は、２種類の認証用ＩＤのいずれか一方のみが認証用ＩＤとして使用されるように制御するために、例えば、工事等が終了し、通常運用機による運用が開始された場合には、暫定運用機による解錠が確実に禁止される。また、工事等による暫定運用機の登録には、従来使用されていた通常運用機に対する登録消去を条件とすることが可能であり、この場合、工事終了後、新たな携帯機２を通常運用機として登録すると、従来使用されていた通常運用機での解錠が確実に不能となるために、賃貸住宅等における施錠管理が容易、かつ確実になる。
【００１１】
さらに、暫定運用機、および通常運用機の登録のし直しは、携帯機２が同一であるか否かを問わずに何度でも可能であるために、運用の融通性が向上する。
【発明の効果】
【００１２】
本発明によれば、登録操作に要する部材を室外側に配置することができるために、構成部材の全て、あるいは大部分を屋外側に配置することが可能になり、装置構成の融通性を高めることができる。
【発明を実施するための最良の形態】
【００１３】
図１、２に、錠装置の制御装置とモータ（アクチュエータ５）とをハウジング内に収容して電気錠Ａとして構成した本発明の実施の形態を示す。この実施の形態において、電気錠Ａは扉体６の室外側壁面に固定されて使用されるもので、アクチュエータ５には軸５ａが連結されており、扉体６の内に固定される錠箱７に連結される。
【００１４】
錠箱７にはデッドボルト７ａとラッチ７ｂとが配置され、軸５ａをアクチュエータ５により回転駆動し、あるいは室内側のサムターン装置８を回転操作して施解錠操作される。また、錠箱７にはハンドル９、あるいはノブが連結され、これらを操作することによりラッチ７ｂが操作される。
【００１５】
上記ハウジングには、後述するように、制御部３を起動するためのリクエストスイッチ（認証開始スイッチ１）がハウジング外部から操作可能な位置に配置され、その周囲に表示パネル１０が配置される。図２（ｂ）に示すように、表示パネル１０には、解錠、施錠、電池切れを示す絵文字１０ａと、対応する状態を表示するＬＥＤ１１が配置される。
【００１６】
また、ハウジング内には、故障時等におけるメカニカルキーによる開扉操作を保障するための非常用シリンダ錠１２、電池ケース１３、および送受信回路１４（図３参照）が収容される。送受信回路１４は、接続されるアンテナ１４ａとともに、ＲＦＩＤ（Radio Frequency Identification）カードとして構成される携帯機２と交信可能なＲＦＩＤリーダとして構成される。電池ケース１３には制御部３、アクチュエータ５およびカバー解錠用アクチュエータ５に給電するための電池１５が収容され、電池１５抜き取り等の悪戯防止のために、カバー施錠部１６により施錠されたカバー１７により塞がれる。カバー施錠部１６は、プッシュ方向に復帰力が付与されたプル型ソレノイドからなるカバー解錠用アクチュエータ１８のプランジャ１８ａをカバー１７の係止部１７ａに係止させて構成される。カバー解錠用アクチュエータ１８がプル駆動されると、カバー１７の係止が解除されてカバー１７を取り外し、電池１５を交換できる。
【００１７】
なお、図示の電気錠Ａは、扉体６内に固定された錠箱７を操作するように構成されているが、デッドボルト７ａ、ラッチ７ｂをハウジング内に内蔵したり、あるいは、アクチュエータ５を錠箱７内に配置するように変形することもできる。
【００１８】
制御装置Ｂを図３に示す機能ブロック図と、図４に示す通常使用モードにおける動作フローに基づいて説明する。制御装置Ｂは、図外のＲＯＭに格納されたプログラムに従って動作するＣＰＵ（制御部３）により各種ドライバ回路を起動させて所定の動作を行うように構成され、ＣＰＵ３による制御、すなわち、制御装置Ｂの動作は、先ず、リクエストスイッチ１を投入することにより開始される（ステップＳ１００）。リクエストスイッチ１の押下はリクエストスイッチ検出回路１９により検出されてＣＰＵ３に通知され、通知を受領したＣＰＵ３は、電圧検出回路２０に電池電圧を問い合わせる（ステップＳ１０１）。電圧検出回路２０における検出電圧が所定値より低い場合には、ＣＰＵ３はブザー出力回路２１を駆動して警戒用のブザー音をブザー２３から吹鳴させるとともに、ＬＥＤ出力回路２２をドライブし、電池切れ通知用のＬＥＤ１１を点滅させる（ステップＳ１０２）。
【００１９】
これに対し、電圧検出回路２０における検出電圧が所定値である場合には、操作受領を知らせるためのブザー音を吹鳴した後（ステップＳ１０３）、施解錠制御回路２４により錠箱７の施解錠状態を検出し（ステップＳ１０４）、施解錠状態によってＬＥＤ１１を選択して点滅させる（ステップＳ１０５）。
【００２０】
この後、ＣＰＵ３は、送受信回路１４からリクエスト信号を携帯機２側に送信し、携帯機２側からの応答を待つ（ステップＳ１０６）。リクエストスイッチ１を押下した後、ユーザが携帯機２をアンテナ１４ａの近傍にかざさなかった場合、あるいは種類の異なる携帯機２をかざすことによって送受信回路１４が携帯機２からの応答を受領しなかった場合には、ＣＰＵ３はタイマ回路２５を駆動し、サムターン装置８による錠箱７の状態変化の有無を監視する（ステップＳ１０７）。サムターン装置８による施解錠操作が所定時間（この実施の形態においては５秒間）行われなかった場合には（ステップＳ１０８）、ＣＰＵ３は制御を終了し、初期状態、すなわち不活性状態に復帰する。
【００２１】
一方、送受信回路１４が携帯機２からの応答信号を受領した場合には、一旦ＬＥＤ１１を消灯した後（ステップＳ１０９）、ユーザによる上述した認証操作が後述する登録カードによるものであるか否かを携帯機２から送信されるＩＤ情報と、認証用ＩＤ格納部４内の認証用ＩＤとを比較して判定する（ステップＳ１１０）。判定の結果、携帯機２が登録カードである場合には、ＣＰＵ３は登録カードによるアクセスであったことを示すフラグを立てて（ステップＳ１１１）、後述する登録モードへの遷移判定に使用する。ステップＳ１１０において登録カードでないと判定された場合には、認証に使用されている携帯機２がユーザカード（通常運用機）に設定された認証用ＩＤを有しているかを判定し（ステップＳ１１２）、認証が成立しない場合には、ブザー２３を吹鳴させた後（ステップＳ１１３）、制御を終了する。
【００２２】
これに対し、ステップＳ１１２において認証が成立した場合には、再び施解錠制御回路２４に錠箱７の施解錠状態を問い合わせ（ステップＳ１１４）、解錠状態である場合には施解錠制御回路２４を駆動してアクチュエータ５を施錠方向に回転させて錠箱７を施錠状態に遷移させ（ステップＳ１１５）、施錠状態である場合には、解錠状態側にアクチュエータ５を駆動する（ステップＳ１１６）。この後、施解錠動作に対応する吹鳴方法でブザー２３を吹鳴させるとともに（ステップＳ１１７）、施解錠動作に対応する色のＬＥＤ１１を点灯させる（ステップＳ１１８）。
【００２３】
以上のようにして施解錠操作が終了すると、ＣＰＵ３は再び電圧検出回路２０に電池電圧を問い合わせ（ステップＳ１１９）、電圧検出回路２０における検出電圧が所定値より低い場合には、ＣＰＵ３はブザー出力回路２１を駆動して警戒用のブザー音をブザー２３から吹鳴させる（ステップＳ１２０）。ステップＳ１２０が実行され、またはステップＳ１１９で電池切れが検出されなかった場合には、ステップＳ１１１で設定したフラグを確認し（ステップＳ１２１）、フラグが立っている場合には登録モード監視状態に移行する（ステップＳ１２２）。
【００２４】
一方、ステップＳ１１４で解錠状態が検出され、ステップＳ１２１で登録カードフラグが立っていなかった場合には、制御を終了し、電池１５からの給電が停止される。これに対し、ステップＳ１１４で施錠状態が検出され、ステップＳ１２１で登録カードフラグが立っていなかった場合には、電池交換監視状態に移行する（ステップＳ１２３）。
【００２５】
図５に電池交換監視状態（ステップＳ１２３）から電池ケース１３のカバー１７を取り外す手順を示す。上述したように、電池ケース１３のカバー１７は、カバー施錠部１６により施錠されており、ＣＰＵ３は、電池交換監視状態（ステップＳ１２３）になると、ケース解錠モードへの移行を確認するために、先ず、タイマ回路２５を起動し（ステップＳ２０１）、リクエストスイッチ検出回路１９の出力を監視する（ステップＳ２０２）。タイマ回路２５に設定した時間（この実施の形態においては２秒）内にユーザによるリクエストスイッチ１の押下がなされなかった場合（ステップＳ２０３）、ＣＰＵ３は制御を終了し、初期状態に復帰する。
【００２６】
これに対し、タイマ設定時間内にリクエストスイッチ１の押下を検知した場合には、再びタイマ回路２５を起動し（ステップＳ２０４）、リクエストスイッチ検出回路１９の出力を監視する。この状態でタイマ設定時間（この実施の形態においては３秒）の間リクエストスイッチ１を押し続けると（ステップＳ２０５、Ｓ２０６）、ＣＰＵ３はブザー出力回路２１を起動してブザー２３を吹鳴させ（ステップＳ２０７）、ケース解錠モードに遷移する。ケース解錠モードにおいては、ＣＰＵ３はカバー解錠用アクチュエータ制御回路２６を駆動させてカバー解錠用アクチュエータ１８をプル駆動し、カバー施錠部１６を解錠する（ステップＳ２０８）。次いで、カバー施錠部１６の解錠時間を限定するために、所定時間（この実施の形態においては３秒）待ち時間処理を行った後（ステップＳ２０９）、カバー解錠用アクチュエータ１８への給電を停止させてカバー施錠部１６を施錠状態に復帰させて（ステップＳ２１０）、制御を終了する。
【００２７】
ユーザは、カバー施錠部１６が解錠状態のときにカバー１７を取り外して電池１５を交換することができる。カバー施錠部１６は、施錠状態であってもカバー解錠用アクチュエータ１８のプランジャ１８ａをプッシュ方向の復帰力に抗してプル方向に移動させることができるために、交換後は、カバー１７を押し込むだけで施錠状態で装着することができる。
【００２８】
さらに、この実施の形態において、制御装置Ｂは、ユーザが使用する携帯機２（ユーザカード：通常運用機）に加えて、コンストラクション用の携帯機２（コンストラクションカード：暫定運用機）と、登録用の携帯機２（登録カード）を利用して運用される。
【００２９】
この実施の形態において、登録カードはユーザカード、およびコンストラクションカードの認証用ＩＤ登録、登録消去の権限が付与された携帯機２であり、登録カード自身の認証用ＩＤ登録は、図６に示す特別の手順で登録される。すなわち、先ず、登録カードの登録に際し、非常用シリンダ錠１２を９０°回転させる（ステップＳ３０１）。非常用シリンダ錠１２の回転操作は、シリンダ錠回転検出部２７を経由してＣＰＵ３に通知され、ＣＰＵ３はリクエストスイッチ検出回路１９の出力変化に対する監視を開始する。
【００３０】
この状態でリクエストスイッチ１が押下されると（ステップＳ３０２）、ＣＰＵ３はタイマ回路２５を起動してリクエストスイッチ１の押下時間を計測する（ステップＳ３０３）。所定時間（この実施の形態においては３秒）押下状態が継続されない場合には、シリンダ錠回転検出部２７が非常用シリンダ錠１２への回転操作を検出したか否かをチェックし（ステップＳ３０４）、非常用シリンダ錠１２を初期位置に復帰させると登録カード登録モードが終了する。
【００３１】
これに対し、ステップＳ３０３においてリクエストスイッチ１の連続押下が検出されると、登録カード登録モードに遷移し、先ず、状態遷移をユーザに知らせるために、ブザー２３を鳴動させるとともに、ＬＥＤ１１を点滅させ（ステップＳ３０５）、送受信回路１４を監視する（ステップＳ３０６）。ステップＳ３０５から所定時間（この実施の形態においては５秒）内にユーザが登録カードをアンテナにかざすと、ＣＰＵ３はかざされたカードがコンストラクションカードでないことを確認した後（ステップＳ３０７）、登録カードとして登録する（ステップＳ３０８）。
【００３２】
登録カードの登録が完了すると、ユーザに登録完了を知らせるために、ブザー２３を鳴動させるとともに、ＬＥＤ１１を点灯させ（ステップＳ３０９）、リクエストスイッチ１の操作待ち（ステップＳ３０２）状態に復帰する。
【００３３】
一方、ステップＳ３０７でコンストラクションカードであることが検出された場合には、カード違いをユーザに知らせるために、ブザー２３を吹鳴させた後（ステップＳ３１０）、カード読み取り待ち状態（ステップＳ３０６）に復帰し、所定時間経過後（ステップＳ３１１）、リクエストスイッチ１の操作待ち（ステップＳ３０２）状態に復帰する。
【００３４】
コンストラクションカードは、主として工事、メンテナンス業者による使用が想定されるもので、認証可能なものであれば、ユーザカードと同様に、上述したステップＳ１００番台の通常の錠箱７の施解錠操作、およびステップＳ２００番台の電池交換モードを実行できる。この実施の形態において、ユーザカードとコンストラクションカードとは、一方が認証可能な場合は、必ず他方が認証不能状態となる排他的関係となっているために、ユーザカードが居住者に引き渡された段階で、コンストラクションカードを回収することなく、工事中に出入りしていた業者の解錠操作が禁止されることとなる。
【００３５】
図７、８に上記コンストラクションカード、およびユーザカードの登録手順を示す。これらコンストラクションカード、およびユーザカードの登録は、登録モードに遷移した後実行され、上述したように、登録モード監視状態（ステップＳ１２２）から推移し、ＣＰＵ３はブザー２３を鳴動させるとともに、ＬＥＤ１１を点滅させて（ステップＳ４０２）、ユーザに状態遷移を知らせる。
【００３６】
この後、カード読取を確認し（ステップＳ４０３）、カードが確認されなかった場合、すなわち、アンテナ１４ａにカード（携帯機２）をかざすことなく、再びリクエストスイッチ１を押し下げると（ステップＳ４０４）、ユーザカードの消去モードに遷移する。消去モードへの遷移を明確に意識させるため、リクエストスイッチ１の押下げは、電池ケース１３のカバー１７の取外し手順（Ｓ２０４〜Ｓ２０６）と同様に制御してもよい。これに対し、所定時間（この実施の形態においては５秒）経過してもリクエストスイッチ１が押下されない場合には（ステップＳ４０５）、ブザー２３の鳴動を停止するとともに、ＬＥＤ１１も消灯させて（ステップＳ４０６）制御を終了する。
【００３７】
これに対し、ユーザカードの消去モードに遷移すると、先ず、ブザー２３を吹鳴させて（ステップＳ４０７）ユーザにモード遷移を通知する。例えば、賃貸家屋の明け渡しの場合等に、ユーザカードの回収を不要にするために、ユーザカードの消去は、ユーザカードを用意することなく実行可能であり、ステップＳ４０７に続いて、登録カードをかざすと（ステップＳ４０８）、認証用ＩＤ格納部４内のユーザカード用認証用ＩＤのデータが全て消去され（ステップＳ４０９）、以後、当該ユーザカードによる認証が不能になる。認証用ＩＤデータの消去に成功すると、ブザー２３吹鳴とＬＥＤ１１点滅が実行された後（ステップＳ４１０）、制御が終了する。
【００３８】
一方、ＣＰＵ３がステップＳ４０７で登録カードの検出信号を受領しなかった場合には、リクエストスイッチ１の押下を検出し（ステップＳ４１１）、所定時間（５秒）経過しても検出しなかった場合には（ステップＳ４１２）、制御を終了し、リクエストスイッチ１の押下を検出した場合には、直ちに制御を終了する。
【００３９】
また、ステップＳ４０３でカードが検出された場合には、カードがユーザカードであるが、コンストラクションカードであるかをＩＤ情報をもとに識別し（ステップＳ４２１）、ユーザカードである場合には、最大登録可能枚数（この実施の形態においては２０枚）に達していないか否かを認証用ＩＤ格納部４における登録済み数をもとにチェックする（ステップＳ４２２）。登録しようとするユーザカードが最大登録可能枚数を超える場合には、ブザー２３吹鳴、ＬＥＤ１１点滅を実行して登録不能をユーザに通知した後（ステップＳ４２３）、登録モード監視状態（ステップＳ１２２）に復帰する。
【００４０】
一方、ユーザカードが可能枚数以下である場合には、かざされたユーザカードが登録済みカードであるか否かを識別し（ステップＳ４２４）、登録済みである場合には、ブザー２３吹鳴、ＬＥＤ１１点滅を実行して重複警告をユーザに通知した後（ステップＳ４２５）、登録モード監視状態（ステップＳ１２２）に復帰する。登録済みでない場合には、ユーザカードを追加登録し（ステップＳ４２６）、認証用ＩＤ格納部４に格納する。
【００４１】
ユーザカードの登録は、コンストラクションカードによる運用の終了でもあり、以後、コンストラクションカードのＩＤ情報が認証情報として使用されることのないように、ＣＰＵ３は、上記ステップＳ４２６を実行した後、コンストラクションモードフラグをクリアし（ステップＳ４２７）、次いで、動作完了信号を発した後（ステップＳ４２８）、登録モード監視状態（ステップＳ１２２）に復帰する。
【００４２】
これに対し、ステップＳ４２１でコンストラクションカードが検出された場合には、ユーザカードが全消去されているか否かを認証用ＩＤ格納部４から検出し（ステップＳ４３１）、消去済みでない場合には、エラー音を吹鳴させた後（ステップＳ４３２）、登録モード監視状態（ステップＳ１２２）に復帰する。
【００４３】
ユーザカードの消去が完了している場合には、コンストラクションカードのＩＤ情報を認証用ＩＤとして認証用ＩＤ格納部４に格納した後（ステップＳ４３３）、完了信号を通知する（ステップＳ４３４）。認証用ＩＤは上書きが可能なために何度でも異なったコンストラクションカードを使用することが可能であり、ＩＤ登録により、以後、コンストラクションカードによる運用がされるために、コンストラクションモードフラグをセットし（ステップＳ４３５）、制御終了準備ステップ（ステップＳ４０６）にジャンプする。
【図面の簡単な説明】
【００４４】
【図１】本発明が適用された電気錠の断面図である。
【図２】図１の電気錠を示す図で、（ａ）は正面図、（ｂ）は表示パネルの拡大図である。
【図３】制御装置の機能ブロック図である。
【図４】携帯機による施解錠操作を示すフローチャートである。
【図５】電池交換モードにおける動作を示すフローチャートである。
【図６】登録カードの登録手順を示すフローチャートである。
【図７】ユーザカードの消去モードにおける動作を示すフローチャートである。
【図８】ユーザカード、コンストラクションカードの登録手順を示すフローチャートである。
【符号の説明】
【００４５】
１        認証開始スイッチ
２        携帯機
３        制御部
４        認証用ＩＤ格納部
【図１】
2006241759.tif 000003
【図２】
2006241759.tif 000004
【図３】
2006241759.tif 000005
【図４】
2006241759.tif 000006
【図５】
2006241759.tif 000007
【図６】
2006241759.tif 000008
【図７】
2006241759.tif 000009
【図８】
2006241759.tif 000010